(57)【要約】  ワイヤレス通信のための方法を提供する。方法は、１組の物理レイヤセルアイデンティティを決定すること（４１０）と、現在の組のスクランブリングシーケンスを解析すること（４２０）とを含む。方法により、物理レイヤセルアイデンティティにおける増加に対処するために、現在の組のスクランブリングシーケンスを増加させる（４４０）。【選択図】  図４
2011526463.tif 000002
【特許請求の範囲】
【請求項１】
ワイヤレス通信のための方法において、
１組の物理レイヤセルアイデンティティを決定することと、
現在の組のスクランブリングシーケンスを解析することと、
前記物理レイヤセルアイデンティティにおける増加に対処するために、前記現在の組のスクランブリングシーケンスを増加させることとを含む方法。
【請求項２】
前記現在の組のスクランブリングシーケンスをＮだけ増加させることをさらに含み、
Ｎは、整数であり、前記現在の組中のスクランブリングシーケンスの数を増やすために、２の累乗として用いられる請求項１記載の方法。
【請求項３】
前記現在の組のスクランブリングシーケンスに拡張エレメントＩを付加することにより、前記現在の組を増加させることとさらに含み、
Ｉは、整数であり、前記１組の物理レイヤセルアイデンティティに、または、拡張された組の物理レイヤセルアイデンティティに、前記スクランブリングシーケンスを適用するか否かを示す請求項１記載の方法。
【請求項４】
スクランブリングシーケンス初期設定にＮビットを付加することをさらに含み、
Ｎは整数であり、前記Ｎビットは、物理レイヤセルアイデンティティスペースの増加による付加的なビットを示す請求項１記載の方法。
【請求項５】
前記Ｎビットは、前記スクランブリングシーケンス初期設定中に用いられるセル識別子における増加にリンクしている請求項４記載の方法。
【請求項６】
前記Ｎビットは、第１の同期コード（ＰＳＣ）および第２の同期コード（ＳＳＣ）の配列を示す請求項５記載の方法。
【請求項７】
Ｎが（１）の値に設定されている場合に、ＰＳＣ／ＳＳＣは順序がスワップされ、Ｎが（０）の値に設定されている場合に、ＰＳＣ／ＳＳＣはオリジナルの順序で適用する請求項６記載の方法。
【請求項８】
前記Ｎビットのうちの１つ以上のものが、スクランブリングシーケンスの異なる部分中に分配される請求項６記載の方法。
【請求項９】
前記Ｎビットは、主基準信号（ＰＲＳ）、スクランブリング関数、またはホッピング関数に適用される請求項６記載の方法。
【請求項１０】
レガシーシステムをサポートするために、拡張された組のスクランブリングシーケンスに加えて、前記現在の組のスクランブリングシーケンスを維持することをさらに含む請求項１記載の方法。
【請求項１１】
前記スクランブリングシーケンスは、ワイヤレス物理レイヤに関係している請求項１記載の方法。
【請求項１２】
前記スクランブリングシーケンスは、物理アップリンク共有チャネル（ＰＵＳＣＨ）または物理ダウンリンク共有チャネル（ＰＤＳＣＨ）に関係している請求項１記載の方法。
【請求項１３】
前記スクランブリングシーケンスは、物理マルチキャストチャネル（ＰＭＣＨ）または物理制御フォーマットインジケータチャネル（ＰＣＦＩＣＨ）に関係している請求項１記載の方法。
【請求項１４】
前記スクランブリングシーケンスは、物理ダウンリンク制御チャネル（ＰＤＣＣＨ）または物理ハイブリッドＡＲＱインジケータチャネル（ＰＨＩＣＨ）に関係している請求項１記載の方法。
【請求項１５】
前記スクランブリングシーケンスは、ダウンリンクセル特有フォーマット、ユーザ機器特有フォーマット、またはマルチキャストブロードキャスト単一周波数ネットワーク（ＭＢＳＦＮ）フォーマットに関係している請求項１記載の方法。
【請求項１６】
通信装置において、
１組の物理レイヤセルアイデンティティを決定するための命令と、現在の組のスクランブリングシーケンスを発生させるための命令と、前記物理レイヤセルアイデンティティにおける増加に対処するために、前記現在の組のスクランブリングシーケンスを自動的に増加させるための命令とを保持するメモリと、
前記命令を実行するプロセッサとを具備する通信装置。
【請求項１７】
前記現在の組のスクランブリングシーケンスをＮだけ増加させるための命令をさらに具備し、
Ｎは、整数であり、前記現在の組中のスクランブリングシーケンスの数を増やすために、２の累乗として用いられる請求項１６記載の通信装置。
【請求項１８】
前記現在の組のスクランブリングシーケンスに拡張エレメントＩを付加することにより、前記現在の組を増加させるための命令をさらに具備し、
Ｉは、整数であり、前記１組の物理レイヤセルアイデンティティに、または、拡張された組の物理レイヤセルアイデンティティに、前記スクランブリングシーケンスを適用するか否かを示す請求項１６記載の通信装置。
【請求項１９】
第１の同期コード（ＰＳＣ）および第２の同期コード（ＳＳＣ）を示すビットをさらに具備する請求項１８記載の通信装置。
【請求項２０】
前記スクランブリングシーケンスは、ワイヤレス物理レイヤ、チャネル、またはデバイスに関係している請求項１６記載の通信装置。
【請求項２１】
通信装置において、
１組の物理レイヤセルアイデンティティを発生させる手段と、
現在の組のスクランブリングシーケンスを拡張させる手段と、
増加された数の物理レイヤセルアイデンティティに対処するために、前記現在の組のスクランブリングシーケンスの数を増加させる手段とを具備する通信装置。
【請求項２２】
前記拡張させる手段は、前記現在の組のスクランブリングシーケンスをＮだけ増加させるための命令をさらに備え、
Ｎは、整数であり、前記現在の組中のスクランブリングシーケンスの数を増やすために、２の累乗として用いられる請求項２１記載の通信装置。
【請求項２３】
前記拡張させる手段は、前記現在の組のスクランブリングシーケンスに拡張エレメントＩを付加することにより、前記現在の組を増加させるための命令をさらに備え、
Ｉは、整数であり、前記１組の物理レイヤセルアイデンティティに、または、拡張された組の物理レイヤセルアイデンティティに、前記スクランブリングシーケンスを適用するか否かを示す請求項２１記載の通信装置。
【請求項２４】
コンピュータプログラムプロダクトにおいて、
スクランブリングシーケンスを拡張させるためのコードを備えるコンピュータ読取可能媒体を具備し、
前記コードは、
コンピュータに１組の物理レイヤセルアイデンティティを発生させるためのコードと、
コンピュータに現在の組のスクランブリングシーケンスを拡張させるためのコードと、
物理レイヤセルアイデンティティの数に対処するために、コンピュータに前記現在の組のスクランブリングシーケンスの数を増加させるためのコードとを含むコンピュータプログラムプロダクト。
【請求項２５】
増やされた累乗ファクターを用いて、前記現在の組のスクランブリングシーケンスの数を増加させる拡張シーケンスをさらに具備する請求項２４記載のコンピュータプログラムプロダクト。
【請求項２６】
前記現在の組のスクランブリングシーケンス、または、拡張された組のスクランブリングシーケンスを選択するために用いられる拡張整数をさらに具備する請求項２４記載のコンピュータプログラムプロダクト。
【請求項２７】
プロセッサにおいて、
１組の物理レイヤセルアイデンティティを処理するための命令と、
現在の組のスクランブリングシーケンスを拡張させるための命令と、
物理レイヤセルアイデンティティの数に対処するために、前記現在の組のスクランブリングシーケンスの数を増加させるための命令とを実行するプロセッサ。
【請求項２８】
スクランブリングシーケンスアイデンティティを自動的に増加させる選択エレメントをさらに具備する請求項２７記載のプロセッサ。
【請求項２９】
ワイヤレス通信のための方法において、
１組の物理レイヤセルアイデンティティを処理することと、
現在の組のスクランブリングシーケンスを処理することと、
前記物理レイヤセルアイデンティティにおける増加に対処するために、拡張された組のスクランブリングシーケンスを受け取ることとを含む方法。
【請求項３０】
前記現在の組のスクランブリングシーケンスをＮだけ処理することをさらに含み、
Ｎは、整数であり、前記現在の組中のスクランブリングシーケンスの数を増やすために、２の累乗として用いられる請求項２９記載の方法。
【請求項３１】
前記現在の組のスクランブリングシーケンスに拡張エレメントＩを付加することにより、前記現在の組を処理することとさらに含み、
Ｉは、整数であり、前記１組の物理レイヤセルアイデンティティに、または、拡張された組の物理レイヤセルアイデンティティに、前記スクランブリングシーケンスを適用するか否かを示す請求項２９記載の方法。
【請求項３２】
通信装置において、
１組の物理レイヤセルアイデンティティを決定するための命令と、現在の組のスクランブリングシーケンスを処理するための命令と、前記物理レイヤセルアイデンティティにおける増加に対処するために、拡張された組のスクランブリングシーケンスを処理するための命令とを保持するメモリと、
前記命令を実行するプロセッサとを具備する通信装置。
【請求項３３】
前記現在の組のスクランブリングシーケンスをＮだけ増加させるための命令を処理することをさらに具備し、
Ｎは、整数であり、前記現在の組中のスクランブリングシーケンスの数を増やすために、２の累乗として用いられる請求項３２記載の通信装置。
【請求項３４】
前記現在の組のスクランブリングシーケンスに拡張エレメントＩを付加することにより、前記現在の組を増加させるための命令を処理することとさらに具備し、
Ｉは、整数であり、前記１組の物理レイヤセルアイデンティティに、または、拡張された組の物理レイヤセルアイデンティティに、前記スクランブリングシーケンスを適用するか否かを示す請求項１６記載の通信装置。
【請求項３５】
通信装置において、
１組の物理レイヤセルアイデンティティを処理する手段と、
現在の組のスクランブリングシーケンスを処理する手段と、
拡張された数の物理レイヤセルアイデンティティに対処するために、拡張された組のスクランブリングシーケンスを処理する手段とを具備する通信装置。
【請求項３６】
前記現在の組のスクランブリングシーケンスをＮだけ増加させるための命令をさらに具備し、
Ｎは、整数であり、前記現在の組中のスクランブリングシーケンスの数を増やすために、２の累乗として用いられる請求項３５記載の通信装置。
【請求項３７】
前記現在の組のスクランブリングシーケンスに拡張エレメントＩを付加することにより、前記現在の組を増加させるための命令をさらに具備し、
Ｉは、整数であり、前記１組の物理レイヤセルアイデンティティに、または、拡張された組の物理レイヤセルアイデンティティに、前記スクランブリングシーケンスを適用するか否かを示す請求項３５記載の通信装置。
【請求項３８】
コンピュータプログラムプロダクトにおいて、
スクランブリングシーケンスを拡張させるためのコードを備えるコンピュータ読取可能媒体を具備し、
前記コードは、
コンピュータに１組の物理レイヤセルアイデンティティを処理させるためのコードと、
コンピュータに現在の組のスクランブリングシーケンスを拡張させるためのコードと、
拡張された物理レイヤセルアイデンティティの数に対処するために、コンピュータに拡張されたスクランブリングシーケンスの数を処理させるためのコードとを含むコンピュータプログラムプロダクト。
【請求項３９】
増やされた累乗ファクターを用いて、前記現在の組のスクランブリングシーケンスの数を増加させる拡張シーケンスをさらに具備する請求項３８記載のコンピュータプログラムプロダクト。
【請求項４０】
前記現在の組のスクランブリングシーケンス、または、拡張された組のスクランブリングシーケンスを選択するために用いられる拡張整数をさらに具備する請求項３８記載のコンピュータプログラムプロダクト。
【請求項４１】
プロセッサにおいて、
１組の物理レイヤセルアイデンティティを処理するための命令と、
現在の組のスクランブリングシーケンスを拡張させるための命令と、
拡張された数の物理レイヤセルアイデンティティに対処するために、拡張された数のスクランブリングシーケンスを処理するための命令とを実行するプロセッサ。
【請求項４２】
スクランブリングシーケンスアイデンティティを自動的に増加させるための選択命令をさらに具備する請求項４１記載のプロセッサ。
【発明の詳細な説明】
【米国特許法第１１９条のもとでの優先権主張】
【０００１】
本出願は、“拡張物理レイヤセルアイデンティティスペースのもとでのスクランブリングの改良”と題し、２００８年６月２５日に出願されている米国仮特許出願番号第６１／０７５，６１０号の利益を主張し、この全体は、参照によりここに組み込まれている。
【背景】
【０００２】
Ｉ．分野
下記の説明は、一般的に、ワイヤレス通信システムに関連し、さらに詳細には、物理レイヤセルアイデンティティスペースにおけるスクランブリング競合を緩和することに関連している。
【０００３】
ＩＩ．背景
音声、データ等のような、さまざまなタイプの通信コンテンツを提供するために、ワイヤレス通信システムが広範囲に展開されている。これらのシステムは、利用可能なシステムリソース（例えば、帯域幅および送信電力）を共有することにより、複数のユーザとの通信をサポートすることができる多元接続システムであってもよい。このような多元接続ネットワークの例は、コード分割多元接続（ＣＤＭＡ）システムや、時間分割多元接続（ＴＤＭＡ）システムや、周波数分割多元接続（ＦＤＭＡ）システムや、Ｅ−ＵＴＲＡを含む３ＧＰＰロングタームエボリューション（ＬＴＥ）システムや、直交周波数分割多元接続（ＯＦＤＭＡ）システムを含む。
【０００４】
直交周波数分割多重化（ＯＦＤＭ）通信システムは、効率的に、全システム帯域幅を複数（ＮF個）の副搬送波に区分する。これらの副搬送波は、周波数サブチャネル、トーン、または周波数ビンとも言及することがある。ＯＦＤＭシステムに対して、送信されるデータ（すなわち、情報ビット）は、コード化されたビットを発生させるための特定のコーディングスキームにより最初にエンコードされ、コード化されたビットは、複数のビットシンボルにさらにグループ化され、その後、この複数のビットシンボルは、変調シンボルにマッピングされる。各変調シンボルは、データ送信のために使用される特定の変調スキーム（例えば、Ｍ−ＰＳＫまたはＭ−ＱＡＭ）により規定されている信号配列におけるポイントに対応している。各周波数副搬送波の帯域幅に依存しているかもしれない各時間間隔で、変調シンボルは、ＮF個の周波数副搬送波のそれぞれの周波数副搬送波上で送信されてもよい。したがって、システム帯域幅にわたって、異なる量の減衰により特徴付けられている、周波数選択性フェーディングにより生じる相互シンボル干渉（ＩＳＩ）に対処するために、ＯＦＤＭを使用してもよい。
【０００５】
一般的に、ワイヤレス多元接続通信システムは、同時に、複数のワイヤレス端末に対する通信をサポートすることができる。複数のワイヤレス端末は、フォワードおよびリバースリンク上での送信を通して、１つ以上の基地局と通信する。フォーワードリンク（またはダウンリンク）は、基地局から端末への通信リンクのことを言及し、リバースリンク（またはアップリンク）は、端末から基地局への通信リンクのことを言及する。この通信リンクは、単一入力単一出力、複数入力単一出力、または複数入力複数出力（ＭＩＭＯ）システムを介して確立されてもよい。
【０００６】
ＭＩＭＯシステムは、データ送信のために、複数（ＮＴ本）の送信アンテナおよび複数（ＮＲ本）の受信アンテナを用いる。ＮＴ本の送信アンテナおよびＮＲ本の受信アンテナにより形成されるＭＩＭＯチャネルは、ＮＳ個の独立チャネルに分解されてもよい。一般的に、ＮＳ個の独立チャネルのそれぞれは、次元に対応する。複数の送信および受信アンテナにより生成されるさらなる次元が利用される場合、ＭＩＭＯシステムは、向上した性能（例えば、より高いスループットおよび／またはより高い信頼性）を提供できる。ＭＩＭＯシステムはまた、時分割デュプレックス（ＴＤＤ）および周波数分割デュプレックス（ＦＤＤ）システムをサポートする。ＴＤＤシステムでは、相互関係の原理によって、リーバスリンクチャネルからのフォワードリンクチャネルの推定が可能になるように、フォワードおよびリバースリンク送信は同じ周波数領域上でなされる。これによって、複数のアンテナがアクセスポイントにおいて利用可能であるときに、アクセスポイントは、フォワードリンク上のビーム形成利得を抽出することができる。
【０００７】
現在、ロングタームエボリューション（ＬＴＥ）は、１６８個の一意的な物理レイヤセルアイデンティティ（ＰＣＩ）グループと、グループ当たり３個の一意的なアイデンティティとにより達成されている、５０４個までの一意的な物理レイヤセルアイデンティティを規定する。ホームｅノードＢ動作の導入を考慮すると、例えば、マクロセルとホームｅノードＢとを区別するために、および、ＰＣＩ衝突および混乱を避けるために、さらなるＰＣＩが不可欠になるかもしれない。例えば、さらなるＰＣＩスペースが付加または拡張される場合に、現在のスクランブリングシーケンスは、拡張スペースにおいてもはや一意的ではなくなり、したがって、ネットワークノード間の競合および衝突が生じる。
【概要】
【０００８】
下記は、クレームされている主題事項のいくつかの側面の基本的な理解を提供するために、簡略化した概要を提示している。この概要は、広範囲にわたる概観ではなく、重要な／不可欠なエレメントを識別することを意図しておらず、または、クレームされている主題事項の範囲を描写することも意図してもいない。この唯一の目的は、後に示すさらに詳細な説明への前置きとして、簡略化した形態でいくつかの概念を提示することである。
【０００９】
現在のスクランブリングシーケンスを拡張し、拡張物理レイヤセルアイデンティティ（ＰＣＩ）内に一意的なセルアイデンティティを提供して、拡張ＰＣＩスペース内での衝突を回避するために、システムおよび方法は、既存のスクランブリングシーケンス発生器にシーケンス拡張を提供する。ＰＣＩスペースが増加する（例えば、５０４個の一意的なセルアイデンティティから１０２４個またはそれを超えて拡張する）とき、それぞれのセルアイデンティティの増大に対処するために、スクランブリングシーケンスおよび関係している発生器を拡張する。（例えば、ベースの５０４個のアイデンティティに関係する）既存のレガシーシステムが、機能したままで、サポートされたままであることを、将来のニーズが要求するときに、望まれる場合に、スクランブリング拡張を考慮して、このような増大をインクリメント的に付加することができる。１つの側面では、発生されるスクランブリングシーケンスの数における増加の一部として、スクランブリングシーケンスに対する拡張を提供する。これは、利用可能なスクランブリングシーケンスコードに指数ファクターを追加することを含むことができる。拡張スペースにおいて、セルアイデンティティの一意性を提供することにより、このようなファクターは、それぞれのコードに対して一意性を提供し、ＰＣＩ中の衝突を回避する。アップリンクシーケンスおよびダウンリンクシーケンスを含む複数の異なるシーケンスに、このような拡張を提供できる。ここで、シーケンスは、ネットワーク物理レイヤの１つ以上のコンポーネントに関係させることができる。別の側面では、スクランブリングが、オリジナルサーチスペースに対するものか、拡張サーチスペースに対するものか、または、それ以上のものに対するものかを示すために、シーケンス内のオプションをイネーブルまたは選択することにより、拡張サポートを代替的に提供している。所望のスペースを自動的に検出および選択することにより、または、既存のスクランブリングコードの範囲を増加させることにより、セルアイデンティティの一意性が維持され、（現在のＰＣＩスペースを使用する）レガシーシステムは、修正することなくサポートされたままである。
【００１０】
前述の目的および関連目的の達成に向けて、下記の記述および添付の図面に関連して、いくつかの例示的な側面をここに記述している。しかしながら、これらの側面は、さまざまな方法のうちのほんのいくつかのみを示しており、さまざまな方法において、クレームされている主題事項の原理を用いてもよく、クレームされている主題事項は、すべてのこのような側面およびこれらに相当するものを含むように意図している。図面に関連して考えるとき、下記の詳細な説明から、他の利益および新しい特徴が明らかになるかもしれない。
【図面の簡単な説明】
【００１１】
【図１】図１は、ワイヤレス通信システムに対する、拡張物理レイヤセルアイデンティティスペースに対してスクランブリングシーケンス拡張を提供するシステムのハイレベルブロックダイヤグラムである。
【図２】図２は、ワイヤレスシステムに対する、拡張スクランブリングシーケンスとともに用いることができる例示的なレイヤおよびチャネルを図示しているダイヤグラムである。
【図３】図３は、ワイヤレス通信システムに対する、例示的なスクランブリングシーケンス拡張プロセスのフローダイヤグラムである。
【図４】図４は、ワイヤレス通信システムに対する、代替的なシーケンス拡張プロセスのフローダイヤグラムである。
【図５】図５は、ワイヤレス通信システムに対する、代替的なシーケンス発生器およびプロセスのフローダイヤグラムである。
【図６】図６は、スクランブリングシーケンス拡張に対する例示的な論理モジュールを図示している。
【図７】図７は、代替的なスクランブリングシーケンス拡張に対する例示的な論理モジュールを図示している。
【図８】図８は、スクランブリングシーケンス拡張を用いる例示的な通信装置を図示している。
【図９】図９は、複数アクセスワイヤレス通信システムを図示している。
【図１０】図１０は、例示的な通信システムを図示している。
【図１１】図１１は、例示的な通信システムを図示している。
【詳細な説明】
【００１２】
ワイヤレス通信システムにおいて、拡張物理レイヤセルアイデンティティスペース中で用いられるスクランブリングシーケンスを拡張するための、システムおよび方法を提供する。１つの側面では、ワイヤレス通信のための方法を提供する。さまざまな動作またはプロセスを実現するために、コンピュータ読取可能記憶媒体上に記憶されているコンピュータ実行可能命令を実行するプロセッサを用いることを、方法は含む。方法は、物理レイヤセルアイデンティティを決定することと、現在の組のスクランブリングシーケンスを解析することとを含む。方法は、物理レイヤセルアイデンティティにおける増加に対処するために、現在の組のスクランブリングシーケンスを増加させる。
【００１３】
これから図１を参照すると、システム１００は、ワイヤレス通信システムに対する、拡張物理レイヤセルアイデンティティスペースに対するスクランブルシーケンス拡張を提供する。システム１００は、（ノード、進化ノードＢ−ｅＮＢ、フェムト局、ピコ局等としても言及される）１つ以上の基地局１２０を含む。基地局１２０は、ワイヤレスネットワーク１１０を通して第２のデバイス１３０（または、複数のデバイス）への通信が可能なエンティティとすることができる。例えば、各デバイス１３０は、（端末、ユーザ機器、局、または移動局としても言及される）アクセス端末とすることができる。基地局１２０は、ダウンリンク１４０を介してデバイス１３０と通信し、アップリンク１５０を介してデータを受信する。デバイス１３０はまた、ダウンリンクを介してデータを送信し、アップリンクチャネルを介してデータを受信することができるので、アップリンクおよびダウンリンクのようなこのような名称は恣意的である。ネットワーク１１０上に、２つのコンポーネント１２０および１３０を示しているが、２つ以上のコンポーネントを用いることができ、ワイヤレス処理、スクランブリング、およびここに記述する通信に対して、このような付加的なコンポーネントを適合できることに留意すべきである。例えば、１つ以上の第三者マネージャが、ネットワークを通して、基地局１２０またはユーザ機器１３０と通信できる。
【００１４】
現在のスクランブリングシーケンスを拡張し、拡張物理レイヤセルアイデンティティ（ＰＣＩ）内に一意的なセルアイデンティティシーケンス拡張１６０を提供して、拡張ＰＣＩスペース内での衝突を回避するために、示しているように、既存のスクランブリングシーケンス発生器１７０にシーケンス拡張１６０を付加する。示してはいないが、ユーザ機器１３０または他のネットワークデバイスもまた、シーケンス発生器を用いてもよいことが正しく認識されるだろう。ＰＣＩスペースが増大する（例えば、５０４個の一意的なセルアイデンティティから１０２４個またはそれ以上に拡張する）とき、それぞれのセルアイデンティティの増加に対処するために、スクランブリングシーケンス１６０および関係している発生器１７０が拡張される。（例えば、ベースの５０４個のアイデンティティに関係する）既存のレガシーシステムが、機能したままで、サポートされているままであることを、将来のニーズが要求するときに、望まれる場合に、スクランブリング拡張を考慮して、このような増大をインクリメント的に付加することができる。
【００１５】
１つの側面では、１８０において、発生されるスクランブリングシーケンスの数における増加の一部として、スクランブリングシーケンス１６０に拡張を提供する。これは、利用可能なスクランブリングシーケンスコードに指数ファクターを付加することを含むことができる。拡張スペースにおいて、セルアイデンティティに一意性を提供することにより、このようなファクターは、それぞれのコードに対して一意性を提供し、ＰＣＩスペース中の衝突を回避する。アップリンクシーケンスおよびダウンリンクシーケンスを含む複数の異なるシーケンスに、このような拡張を提供できる。ここで、シーケンスは、ネットワーク物理レイヤの１つ以上のコンポーネントに関係させることができ、図２に関連して、ネットワーク物理レイヤの１つ以上のコンポーネントを、下記でより詳細に記述している。
【００１６】
別の側面では、スクランブリングが、オリジナルのサーチスペースに対するものか、拡張サーチスペースに対するものか、または、それ以上のものに対するものかを示すために、シーケンス内のオプションをイネーブルまたは選択することにより、１９０において、拡張サポートを代替的に提供している。１９０において、所望のスペースを自動的に検出および選択することにより、および／または、１８０において、既存のスクランブリングコードの範囲を増加させることにより、セルアイデンティティの一意性が維持され、（現在のＰＣＩスペースを使用する）レガシーシステムは、修正することなくサポートされたままである。典型的に、基地局１２０を介して、スクランブリングシーケンス１６０が処理されることに留意すべきである。他の構成も可能であることが正しく認識されるだろう。例えば、示してはいないが、ユーザ機器１３０も１つ以上のシーケンスを発生させることができる。さらに別の側面では、スクランブリングシーケンスのすべてまたは一部を発生させるために、（示していない）別々のネットワークデバイスを用いることもできる。局間で、デバイスと局との間で、および／または、単一局に関係している通信チャネル間で、スクランブリングを生じさせることがあることにさらに留意すべきである。
【００１７】
別の側面では、拡張ＰＣＩサーチスペースに対する拡張シーケンスを発生させるための、さまざまなワイヤレス通信プロセスおよび方法をシステム１００はサポートする。方法は、１組の物理レイヤセルアイデンティティを決定することと、現在の組のスクランブリングシーケンスを解析することとを含む。これは、物理レイヤセルアイデンティティにおける増加に対処するために、現在の組のスクランブリングシーケンスを増加させることとを含む。例えば、方法は、現在の組のスクランブリングシーケンスをＮだけ増加させることを含み、ここで、Ｎは、整数であり、現在の組中のスクランブリングシーケンスの数を増やすために、２の累乗として用いられる。別の側面では、方法は、現在の組のスクランブリングシーケンスに拡張エレメントＩを付加することにより、現在の組を増加させることを含み、ここで、Ｉは、整数であり、１組の物理レイヤセルアイデンティティに、または、拡張された組の物理レイヤセルアイデンティティに、スクランブリングシーケンスを適用するか否かを示す。これは、スクランブリングシーケンス初期設定にＮビットを付加することを含み、ここで、Ｎは整数であり、Ｎビットは、物理レイヤセルアイデンティティスペースの増加による付加的なビットを示し、ここで、Ｎビットは、スクランブリングシーケンス初期設定中に用いられるセル識別子における増加にリンクしている。
【００１８】
Ｎビットは、第１の同期コード（ＰＳＣ）および第２の同期コード（ＳＳＣ）の配列を示すことができ、ここで、例えば、Ｎが（１）の値に設定されている場合に、ＰＳＣ／ＳＳＣは順序がスワップされ、例えば、Ｎが（０）の値に設定されている場合に、ＰＳＣ／ＳＳＣはオリジナルの順序で適用する。図２に関連して、さらに詳細に記述しているように、Ｎビットのうちの１つ以上のものを、スクランブリングシーケンスの異なる部分中に分配することができる。Ｎビットは、例えば、主基準信号（ＰＲＳ）、スクランブリング関数、またはホッピング関数に適用することができる。方法はまた、レガシーシステムをサポートするために、拡張された組のスクランブリングシーケンスに加えて、現在の組のスクランブリングシーケンスを維持することを含む。一般的に、例えば、物理アップリンク共有チャネル（ＰＵＳＣＨ）または物理ダウンリンク共有チャネル（ＰＤＳＣＨ）のようなワイヤレス物理レイヤに、スクランブリングシーケンスは関係している。例えば、物理マルチキャストチャネル（ＰＭＣＨ）、物理制御フォーマットインジケータチャネル（ＰＣＦＩＣＨ）、物理ダウンリンク制御チャネル（ＰＤＣＣＨ）、物理ハイブリッドＡＲＱインジケータチャネル（ＰＨＩＣＨ）、ダウンリンクセル特有フォーマット、ユーザ機器特有フォーマット、および／または、マルチキャストブロードキャスト単一周波数ネットワーク（ＭＢＳＦＮ）フォーマットに、他のスクランブリングシーケンス拡張を適用することができる。
【００１９】
システム１００は、アクセス端末または移動体デバイスとともに用いることができ、例えば、ＳＤカードや、ネットワークカードや、ワイヤレスネットワークカードや、コンピュータ（ラップトップ、デスクトップ、パーソナルデジタルアシスタント（ＰＤＡ）を含む）や、移動体電話機や、スマートフォンのようなモジュールや、アクセスネットワークに利用できる他の何らかの適した端末とすることができる。端末は、（示していない）アクセスコンポーネントとしてネットワークにアクセスする。１つの例では、端末とアクセスコンポーネントとの間の接続は、実際にワイヤレスであり、ここで、アクセスコンポーネントは基地局であってもよく、移動体デバイスはワイヤレス端末であってもよい。例えば、時間分割多元接続（ＴＤＭＡ）や、コード分割多元接続（ＣＤＭＡ）や、周波数分割多元接続（ＦＤＭＡ）や、直交周波数分割多重化（ＯＦＤＭ）や、ＦＬＡＳＨ ＯＦＤＭや、直交周波数分割多元接続（ＯＦＤＭＡ）や、他の何らかの適したプロトコルを含む、これらには限定されない、何らかの適したワイヤレスプロトコルを通して、端末および基地局は、通信してもよい。
【００２０】
アクセスコンポーネントは、ワイヤードネットワークまたはワイヤレスネットワークに関係するアクセスノードとすることができる。このため、アクセスコンポーネントは、例えば、ルータ、スイッチ、またはこれらに類するものとすることもできる。アクセスコンポーネントは、他のネットワークノードと通信するための１つ以上のインターフェース、例えば、通信モジュールを含むことができる。付加的に、アクセスコンポーネントは、セルラタイプネットワークにおいて、基地局（すなわち、ワイヤレスアクセスポイント）とすることができ、ここで、基地局（すなわち、ワイヤレスアクセスポイント）は、複数の加入者にワイヤレスカバレッジエリアを提供するために利用される。１つ以上のセルラ電話機および／または他のワイヤレス端末にカバレッジの隣接エリアを提供するように、このような基地局（すなわち、ワイヤレスアクセスポイント）を配置することができる。
【００２１】
これから図２を参照すると、ダイヤグラム２００は、ワイヤレスシステムに対する、拡張スクランブリングシーケンスとともに用いることができる例示的なレイヤおよびチャネルを図示している。ＰＣＩスペースが拡張されるとき、例えば、２倍にされるとき、スクランブリングシーケンスの現在の初期設定は、潜在的な競合問題をかかえるかもしれない。例えば、すべての可能性あるセルＩＤ（例えば、５０４個より多い）をカバーするのに、９スクランブリングビットではもはや十分ではないかもしれない。結果として、異なるＩＤを有するセルが、同一の初期設定値を使用するかもしれない。ＰＵＳＣＨに対する初期設定を例として考ええると、
【数１】
2011526463.tif 000003
【００２２】
ＰＣＩスペースを、５１２個の一意的なアイデンティティを超えて、例えば、２＊５０７個に、拡張する場合には、これらのアイデンティティを表すために、１０ビットが適用されるだろう。これらの拡張条件のもとで、方程式（１）を使用する場合、ＩＤ、Ｎ1とＮ2≡ｍｏｄ（Ｎ1＋５１２，５１２）とを有する２個のセルは、
【数２】
2011526463.tif 000004
【００２３】
であるとき、同一の初期設定を有し、ここで、ｎs,i，ｉ＝１，２であり、セルｉに対するスロット番号を意味する。別の代替的な側面では、Ｎ２＞Ｎ１の場合に、ｆｌｏｏｒ（ｎ＿｛ｓ，２｝／２）＝ｆｌｏｏｒ（ｎ＿｛ｓ，１｝２）−１であるとき、または、Ｎ２＜Ｎ１の場合に、ｆｌｏｏｒ（ｎ＿｛ｓ，２｝／２）＝ｆｌｏｏｒ（ｎ＿｛ｓ，１｝／２）＋１であるとき。ｎ＿ｓは、例えば、０から１９の値を有することができることに留意すべきである。
【００２４】
方程式１において描写した上記のシーケンスを拡張するために、可能性あるセルＩＤの数をカバーするために適した数のビットを選択すべきである。２１０において、示しているＰＵＳＣＨに対する初期設定への１つの解法は、
【数３】
2011526463.tif 000005
【００２５】
のようなものとすることができ、ここで、Ｃinitはスクランブリング初期設定シーケンスであり、ＲＮＴＩは無線ネットワーク一時識別子であり、Ｎsはスロット番号であり、ＮIDcellはセル識別番号である。増加された数のＰＣＩスペースアイデンティティに対処するために、利用可能なシーケンスの累乗を増加させることにより、２個所において方程式１を修正した（例えば、２の１４乗が、２の１５乗になり、２の９乗が、２の１０乗になった）ことに留意すべきである。しかしながら、他のシーケンス構成も可能である。例えば、別の側面では、
【数４】
2011526463.tif 000006
【００２６】
さらに、別の代替実施形態は下記を使用する。
【数５】
2011526463.tif 000007
【００２７】
この方法において、プロセスは下位互換とすることができ、すなわち、レガシーＵＥおよび新たなＵＥをサポートすることができ、ここで、Ｉextendedは、ＮIDcellがオリジナルのサーチスペースに属するのか（０）、または、拡張サーチスペースに属するのかを示す。他の大きさ（例えば、３倍等）の拡張ＰＣＩスペースへの拡張も可能である。下記で記述するように、他のチャネルへの拡張も可能である。下記において、拡張させることができる可能性あるチャネルを記述している。例示的なチャネルならびにレイヤとともに、オリジナルのスクランブリングシーケンスを示しており、スクランブリングシーケンスの１つ以上の個所において、スクランブリング可能性の累乗を増加させることにより、または、方程式３により上記で図示したような拡張エレメントを付加することにより、拡張を生じさせることができる。
【００２８】
現在、スクランブルシーケンスは、９ビットによりカバーできる５０４個までの一意的な物理レイヤセルアイデンティティを想定する。例えば、２１０におけるＰＵＳＣＨに対するスクランブリングは、下記のように規定できる：各サブフレームの始まりにおいて、
【数６】
2011526463.tif 000008
【００２９】
により、スクランブリングシーケンス発生器を初期化する。上記の方程式２において示したように、Ｃinit内の累乗を増加させることにより、または、上記の方程式３において図示したように、シーケンスに拡張ファクターＩを付加することにより、上記で示したように、ＰＵＳＣＨシーケンスを拡張することができる。
【００３０】
同様に、ダウンリンクトラフィックおいて：各サブフレームの始まりにおいて、スクランブリングシーケンス発生器を初期化し、ここで、Ｃinitの初期設定値は、
【数７】
2011526463.tif 000009
【００３１】
にしたがって、伝送チャネルタイプに基づいている。ここで、ＰＤＳＣＨを例示的なレイヤ２２０として図示しており、ＰＭＣＨを例示的なレイヤ２３０として図示している。以前に留意したように、上記に記述したＰＤＳＣＨレイヤと同様に、これらのレイヤ／シーケンスを拡張することができる。例えば、ＰＣＩスペースが増加することにしたがって、上記の方程式３に類似したＰＤＳＣＨ方程式に、Ｉ拡張ファクターを付加することができる、または、ＰＤＳＣＨ方程式の、ファクター２の１４乗および２の９乗を増加させることができる。下記のレイヤは、現在のまたはオリジナルのスクランブリングシーケンスを示している。正しく認識できるように、方程式２および３にそれぞれ関連して上記で示しているように、それぞれの例示的なシーケンスを同様に拡張させることができる。図２に示した例示的なレイヤ以外の他のレイヤにもスクランブリング拡張を適用することができることが正しく認識されるだろう。
【００３２】
ＰＣＦＩＣＨ２４０に対して：
レガシーシステムに対する各サブフレームの始まりにおいて、
【数８】
2011526463.tif 000010
【００３３】
により、スクランブリングシーケンス発生器を初期化することができる。
【００３４】
ＰＤＣＣＨ２５０に対して：
各サブフレームの始まりにおいて、
【数９】
2011526463.tif 000011
【００３５】
により、スクランブリングシーケンス発生器を初期化することができる。
【００３６】
ＰＨＩＣＨ２６０に対して：
各サブフレームの始まりにおいて、
【数１０】
2011526463.tif 000012
【００３７】
により、スクランブリングシーケンス発生器を初期化することができる。
【００３８】
２７０におけるダウンリンクセル特有基準信号に対して：
【数１１】
2011526463.tif 000013
【００３９】
である場合に、各ＯＦＤＭシンボルの始まりにおいて、
【数１２】
2011526463.tif 000014
【００４０】
により、擬似ランダムシーケンス発生器を初期化することができる。
【００４１】
ＭＢＳＦＮ基準信号２８０に対して：
各ＯＦＤＭシンボルの始まりにおいて、
【数１３】
2011526463.tif 000015
【００４２】
により、擬似ランダムシーケンス発生器を初期化することができる。
【００４３】
２９０におけるＵＥ特有基準信号に対して：
各サブフレームの始まりにおいて、
【数１４】
2011526463.tif 000016
【００４４】
により、擬似ランダムシーケンス発生器を初期化することができる。
【００４５】
以前に留意したように、ＰＵＳＣＨレイヤに対する方程式２および３に関連して上記で記述したように、ここに記述したオリジナルのシーケンス２２０ないし２９０のそれぞれを同様に拡張することができる。
【００４６】
これから図３ないし５を参照すると、ワイヤレス通信方法論が図示されている。説明の簡略化の目的として、方法論（および、ここに記述する他の方法論）を一連の動作として示し、記述しているが、何らかの動作は、１つ以上の側面にしたがって、ここに示しているものおよび記述している他の動作とは異なる順序で、ならびに／あるいは、他の動作と同時に、生じることがあるので、方法論は動作の順序により限定されないことが、理解および正しく認識されるだろう。例えば、状態ダイヤグラムのような、一連の相関関係にある状態または事象として、方法論を代替的に表すことができることを、当事者は理解および正しく認識するだろう。さらに、クレームされている主題事項にしたがった方法論を実現するために、すべての図示した動作を利用する必要はない。一般的に、図３ないし５におけるプロセスは、最も短い遅延で、ユーザ機器によりハンドオーバーメッセージを受信する確率を向上させる。これは、ノード間またはデバイス間でのハンドオーバーの間の、より短い、機能停止あるいは遅延を含み、これにより、特にハンドオーバー停止を受け入れられない実時間遅延敏感サービスによるエンドユーザ経験を向上させることができる。
【００４７】
図３は、ワイヤレス通信システムに対する、例示的なスクランブリングシーケンス拡張プロセス３００である。３１０において、物理レイヤアイデンティティ（ＰＣＩ）の数を決定する。以前に留意したように、現在の仕様は、５０４個のアイデンティティを提供するのに対して、拡張アーキテクチャは、２倍、３倍、４倍等で増加することができる。３２０において、現在のスクランブリングシーケンスを解析する。これは、現在の発生器形態で、いくつの一意的なスクランブリングシーケンスを発生させることができるかを解析することを含む。３３０において、３１０において決定したＰＣＩスペースアイデンティティと相関させるために、現在のスクランブリングシーケンスを拡張する。これは、それぞれのアイデンティティに対して一意的なシーケンスまたはコードを提供するために、所定の発生器シーケンス内で、１つ以上のファクターの累乗を増やすことを含むことができる。３４０において、さまざまな物理レイヤまたはチャネルを初期化するために、拡張スクランブリングシーケンスを用いる。以前に留意したように、いくつかの例示的なレイヤは、例えば、物理アップリンク共有チャネル（ＰＵＳＣＨ）または物理ダウンリンク共有チャネル（ＰＤＳＣＨ）のようなワイヤレス物理レイヤを含む。例えば、物理マルチキャストチャネル（ＰＭＣＨ）、物理制御フォーマットインジケータチャネル（ＰＣＦＩＣＨ）、物理ダウンリンク制御チャネル（ＰＤＣＣＨ）、物理ハイブリッドＡＲＱインジケータチャネル（ＰＨＩＣＨ）、ダウンリンクセル特有フォーマット、ユーザ機器特有フォーマット、および／または、マルチキャストブロードキャスト単一周波数ネットワーク（ＭＢＳＦＮ）フォーマットに、他のスクランブリングシーケンス拡張を適用することができる。
【００４８】
図４は、ワイヤレス通信システムに対する代替的なシーケンス拡張プロセス４００である。この側面では、上記動作３１０および３２０と同様に、動作４１０において、物理レイヤアイデンティティ（ＰＣＩ）の数を決定する。４２０において、現在のスクランブリングシーケンスを解析する。これは、現在の発生器形態またはフォーマットで、いくつの一意的スクランブリングシーケンスを発生させることができるかを解析することを含む。４３０において、拡張ＰＣＩスペースが適用されるか、または、拡張ＰＣＩスペースが用いられることになるか否かに関する決定がなされる。４３０において、拡張ＰＣＩを必要とする場合、初期設定セレクターＩが用いられる４４０にプロセスは進む。ここで、Ｉは、拡張ＰＣＩスペースに対して一意的なスクランブリングコードを発生させることができる整数値である。４３０において拡張ＰＣＩスペースを適用しない場合、現在の初期設定シーケンス（例えば、５０４個のアイデンティティスペースに対するもの）を利用することができる。
【００４９】
図５は、ワイヤレス通信システムに対する代替的なプロセスおよびコンポーネントを図示している。拡張物理レイヤセルアイデンティティスペースのもとでのスクランブリングを改良するための方法５００を提供している。５１０において、拡張物理レイヤセルアイデンティティ（ＰＣＩ）スペースを発生させる。１つ側面では、発生させることは、ＰＳＣおよびＳＳＣに対して利用可能なスクランブリングコードの数を２倍にすることを含む。別の側面では、ホームｅノードＢの数と、ＰＣＩ衝突および処理複雑性の緩和を通してのサービスの品質における利益間でのトレードオフとに少なくとも部分的に基づいて、ＰＣＩスペースを３倍、４倍等にすることができる。５２０において、ワイヤレスシステム、例えば、３ＧＰＰ ＬＴＥシステムにおける、チャネルに対する擬似ランダムシーケンス発生の初期設定を、拡張ＰＣＩスペースにしたがって調整する。１つの側面では、調整は、実質上拡張ＰＣＩ中のすべての一意的なアイデンティティに及ぶようにＫビット（Ｋは整数）を付加することを含む：例えば、ＰＣＩスペースが、５０４個の一意的なスクランブリングコードから１００８個のスクランブリングコードに２倍になるとき、Ｋ＝１を利用できる。シーケンスインデックスをＮIDcellの値に結び付けることにより、ランダムではないシーケンス（例えば、一般的に、Ｚａｄｏｆｆ−ＣｈｕシーケンスまたはＰｏｌｙｐｈａｓｅシーケンス）セルＩＤを、シーケンス選択のために利用することができることも正しく認識すべきである；したがって、適切な初期設定のために、例えば、シーケンス衝突を回避するために、ＰＣＩスペース中で確実に一意的な識別子となるように、セルＩＤの適切な調整を利用することができる。５３０において、拡張ＰＣＩスペースにしたがって、スクランブリング関数、ホッピング関数、またはこれらを組み合わせたものを調整する。例えば、ホッピング関数がセルインデックスＮIDcellに結び付けられているとき、反復セルＩＤから生じる反復ホッピング関数を緩和するために、セルインデックスは拡張ＰＣＩスペースに関連して適切に決定されるだろう。
【００５０】
次に、開示した主題事項の側面を可能することができるシステム５５０が提供されている。このようなシステム５５０は、機能ブロックを含むことができ、機能ブロックは、プロセッサにより、または、電子機械や、ソフトウェアや、これらを組み合わせたもの（例えば、ファームウェア）により実現する機能を表す機能ブロックとすることができる。ここに記述した側面にしたがって、システム５５０は、拡張物理レイヤセルアイデンティティスペースのもとでのスクランブリングを改良することを可能にする。システム５５０は、移動体デバイス内に、少なくとも部分的に存在することができる。システム５５０は、関連して動作することができる、回路の論理グルーピング５６０を含む。１つの側面では、拡張物理レイヤセルアイデンティティ（ＰＣＩ）スペースを発生させる回路５７０と、拡張ＰＣＩスペースにしたがって、物理チャネルに対する擬似ランダムシーケンス（ＰＲＳ）発生器の初期設定を調整する回路５８０と、拡張ＰＣＩスペースにしたがって、スクランブリング関数またはホッピング関数、あるいはこれらを組み合わせたものを調整する回路５９０とを、論理グルーピング５６０は含み、初期設定を調整する手段は、ＰＲＳ発生器にＫ（正の整数）ビットを付加する手段を備えている。
【００５１】
システム５５０はまた、電気コンポーネント５７０、５８０、および５９０に関係する機能を実行するための命令を保持するメモリ５９５とともに、このような機能を実行する間に発生されるかもしれない、測定データまたは計算データを含む。メモリ５９５の外部にあるように示しているが、電気コンポーネント５７０、５８０、および５９０のうちの１つ以上のものは、メモリ５９５内に存在させることができることを理解するだろう。
【００５２】
ここに記述した技法プロセスは、さまざまな手段により実現してもよい。例えば、これらの技法は、ハードウェアで、ソフトウェアで、または、これらを組み合わせたもので実現してもよい。ハードウェアインプリメンテーションにおいて、１つ以上の、特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、ここに記述した機能を実行するように設計されている他の電子ユニット、または、これらを組み合わせたものの内で、処理ユニットを実現してもよい。ソフトウェアによるインプリメンテーションは、ここで記述した機能を実行するモジュール（例えば、手順、機能等）を通したものであってもよい。ソフトウェアコードは、メモリユニット中に記憶され、プロセッサにより実行されてもよい。
【００５３】
これから図６および図７を参照すると、ワイヤレス信号処理に関連するシステムが提供されている。一連の相互関係がある機能ブロックとして、システムを表している。一連の相互関係がある機能ブロックは、プロセッサにより、ソフトウェアにより、ハードウェアにより、ファームウェアにより、または、これらの何らかの適した組み合わせにより実現する機能を表すことができる。
【００５４】
図６を参照すると、ワイヤレス通信システム６００が提供されている。システム６００は、１組の物理レイヤセルアイデンティティを発生させる論理モジュールまたは手段６０２と、現在の組のスクランブリングシーケンスを拡張する論理モジュールまたは手段６０４とを具備している。システム６００はまた、増加された数の物理レイヤセルアイデンティティに対処するために、現在の組のスクランブリングシーケンスの数を増加させる論理モジュールまたは手段６０６を具備している。
【００５５】
図７を参照すると、ワイヤレス通信システム７００が提供されている。システム７００は、１組の物理レイヤセルアイデンティティを処理する論理モジュールまたは手段７０２と、現在の組のスクランブリングシーケンスを処理する論理モジュールまたは手段７０４とを具備している。システム７００はまた、拡張された数の物理レイヤセルアイデンティティに対処するために、拡張された組のスクランブリングシーケンスを処理する論理モジュールまたは手段７０６を具備している。
【００５６】
１つの側面では、ワイヤレス通信のための方法が提供されている。方法は、１組の物理レイヤセルアイデンティティを決定することと、現在の組のスクランブリングシーケンスを解析することと、物理レイヤセルアイデンティティにおける増加に対処するために、現在の組のスクランブリングシーケンスを増加させることとを含む。方法は、現在の組のスクランブリングシーケンスをＮだけ増加させることを含み、ここで、Ｎは、整数であり、現在の組中のスクランブリングシーケンスの数を増やすために、２の累乗として用いられる。方法はまた、現在の組のスクランブリングシーケンスに拡張エレメントＩを付加することにより、現在の組を増加させることを含み、ここで、Ｉは、整数であり、１組の物理レイヤセルアイデンティティに、または、拡張された組の物理レイヤセルアイデンティティに、スクランブリングシーケンスを適用するか否かを示す。これは、スクランブリングシーケンス初期設定にＮビットを付加することを含み、ここで、Ｎは整数であり、Ｎビットは、物理レイヤセルアイデンティティスペースの増加による付加的なビットを示し、ここで、Ｎビットは、スクランブリングシーケンス初期設定中に用いられるセル識別子における増加にリンクしている。
【００５７】
Ｎビットは、第１の同期コード（ＰＳＣ）および第２の同期コード（ＳＳＣ）の配列を示すことができ、ここで、Ｎが（１）の値に設定されている場合に、ＰＳＣ／ＳＳＣは順序がスワップされ、Ｎが（０）の値に設定されている場合に、ＰＳＣ／ＳＳＣはオリジナルの順序で適用する。Ｎビットのうちの１つ以上のものを、スクランブリングシーケンスの異なる部分中に分配することができ、主基準信号（ＰＲＳ）、スクランブリング関数、またはホッピング関数に適用することができる。方法は、レガシーシステムをサポートするために、拡張された組のスクランブリングシーケンスに加えて、現在の組のスクランブリングシーケンスを維持することを含む。スクランブリングシーケンスは、物理アップリンク共有チャネル（ＰＵＳＣＨ）または物理ダウンリンク共有チャネル（ＰＤＳＣＨ）を含むワイヤレス物理レイヤに関係している。スクランブリングシーケンスは、物理マルチキャストチャネル（ＰＭＣＨ）または物理制御フォーマットインジケータチャネル（ＰＣＦＩＣＨ）に関係している。これらはまた、物理ダウンリンク制御チャネル（ＰＤＣＣＨ）または物理ハイブリッドＡＲＱインジケータチャネル（ＰＨＩＣＨ）に関係している。スクランブリングシーケンスはまた、ダウンリンクセル特有フォーマット、ユーザ機器特有フォーマット、またはマルチキャストブロードキャスト単一周波数ネットワーク（ＭＢＳＦＮ）フォーマットに関係している。
【００５８】
別の側面では、１組の物理レイヤセルアイデンティティを決定するための命令と、現在の組のスクランブリングシーケンスを発生させるための命令と、物理レイヤセルアイデンティティにおける増加に対処するために、現在の組のスクランブリングシーケンスを自動的に増加させるための命令とを保持するメモリと、命令を実行するプロセッサとを具備する、通信装置を提供する。
【００５９】
さらに別の側面では、コンピュータプログラムプロダクトを提供する。これは、スクランブリングシーケンスを拡張させるためのコードを備えるコンピュータ読取可能媒体を具備している。コードは、コンピュータに１組の物理レイヤセルアイデンティティを発生させるためのコードと、コンピュータに現在の組のスクランブリングシーケンスを拡張させるためのコードと、物理レイヤセルアイデンティティの数に対処するために、コンピュータに現在の組のスクランブリングシーケンスの数を増加させるためのコードとを含む。
【００６０】
別の側面では、１組の物理レイヤセルアイデンティティを処理するための命令と、現在の組のスクランブリングシーケンスを拡張させるための命令と、物理レイヤセルアイデンティティの数に対処するために、前記現在の組のスクランブリングシーケンスの数を増加させるための命令とを、プロセッサは実行する。
【００６１】
別の側面では、１組の物理レイヤセルアイデンティティを処理することと、現在の組のスクランブリングシーケンスを処理することと、物理レイヤセルアイデンティティにおける増加に対処するために、拡張された組のスクランブリングシーケンスを受け取ることとを、ワイヤレス通信のための方法は含む。
【００６２】
さらに別の側面では、１組の物理レイヤセルアイデンティティを決定するための命令と、現在の組のスクランブリングシーケンスを処理するための命令と、物理レイヤセルアイデンティティにおける増加に対処するために、拡張された組のスクランブリングシーケンスを処理するための命令とを保持するメモリと、命令を実行するプロセッサとを、通信装置は具備する。
【００６３】
別の側面では、コンピュータに１組の物理レイヤセルアイデンティティを処理させるためのコードと、コンピュータに現在の組のスクランブリングシーケンスを拡張させるためのコードと、拡張された物理レイヤセルアイデンティティの数に対処するために、コンピュータに拡張されたスクランブリングシーケンスの数を処理させるためのコードとを、コンピュータプログラムプロダクトは含む。
【００６４】
別の側面では、１組の物理レイヤセルアイデンティティを処理するための命令と、現在の組のスクランブリングシーケンスを拡張させるための命令と、拡張された数の物理レイヤセルアイデンティティに対処するために、拡張された数のスクランブリングシーケンスを処理するための命令とを、プロセッサは実行する。これは、命令を処理すること、増やされた累乗に対するファクターを計算すること、または計算ファクター間の選択動作を実行することを含むことができる。拡張整数、拡張シーケンス、命令、さらに拡張する手段、増やされた累乗ファクター、選択エレメント、または選択命令を、ファクターは含む。
【００６５】
図８は、通信装置８００を図示しており、この通信装置８００は、例えば、ワイヤレス端末のようなワイヤレス通信装置とすることができる。付加的に、または、代替的に、通信装置８００は、ワイヤードネットワーク内に内在できる。通信装置８００は、ワイヤレス通信端末において信号解析を実行するための命令を保持できるメモリ８０２を具備することができる。付加的に、通信装置８００は、メモリ８０２内の命令を、および／または、別のネットワークデバイスから受信した命令を実行できるプロセッサ８０４を具備していてもよい。ここで、命令は、通信装置８００または関連する通信装置を構成または動作させることに関連することができる。
【００６６】
図９を参照すると、複数のアクセスワイヤレス通信システム９００が図示されている。複数のアクセスワイヤレス通信システム９００は、セル９０２、９０４、および９０６を含む複数のセルを含む。システム９００の側面では、セル９０２、９０４、および９０６は、複数のセクタを含むノードＢを含んでいてもよい。各アンテナが、セルの一部におけるＵＥとの通信に関与しているアンテナのグループにより、複数のセクタを形成することができる。例えば、セル９０２では、アンテナグループ９１２、９１４、および９１６は、それぞれ、異なるセクタに対応していてもよい。セル９０４では、アンテナグループ９１８、９２０、および９２２は、それぞれ、異なるセクタに対応している。セル９０６では、アンテナグループ９２４、９２６、および９２８は、それぞれ、異なるセクタに対応している。セル９０２、９０４、および９０６は、いくつかのワイヤレス通信デバイス、例えば、ユーザ機器またはＵＥを含むことができ、このワイヤレス通信デバイスは、各セル９０２、９０４、または９０６のうちの１つ以上のセクタと通信していることがある。例えば、ＵＥ９３０および９３２は、ノードＢ９４２と通信していることがあり、ＵＥ９３４および９３６は、ノードＢ９４４と通信していることがあり、ＵＥ９３８および９４０は、ノードＢ９４６通信していることがある。
【００６７】
これから図１０を参照すると、１つの側面にしたがって、複数のアクセスワイヤレス通信システムが図示されている。アクセスポイント１０００（ＡＰ）は、複数のアンテナグループを含み、１つは１００４および１００６を含み、他は１００８および１０１０を含み、さらには１０１２および１０１４を含む。図１０では、各アンテナグループに対して、アンテナを２本のみ示しているが、各アンテナグループに対して、より多くのアンテナ、または、より少ないアンテナを利用してもよい。アクセス端末１０１６（ＡＴ）は、アンテナ１０１２および１０１４と通信しており、ここで、アンテナ１０１２および１０１４は、フォワードリンク１０２０を通して、アクセス端末１０１６に情報を送信し、リバースリンク１０１８を通して、アクセス端末１０１６から情報を受信する。アクセス端末１０２２は、アンテナ１００６および１００８と通信しており、ここで、アンテナ１００６および１００８は、フォワードリンク１０２６を通して、アクセス端末１０２２に情報を送信し、リバースリンク１０２４を通して、アクセス端末１０２２から情報を受信する。ＦＤＤシステムでは、通信リンク１０１８、１０２０、１０２４、および１０２６は、通信のために、異なる周波数を使用してもよい。例えば、フォワードリンク１０２０は、その後リバースリンク１０１８により使用される異なる周波数を使用してもよい。
【００６８】
通信するように設計されている、アンテナおよび／またはエリアのそれぞれのグループは、アクセスポイントのセクタとして言及されることが多い。アンテナグループは、それぞれ、アクセスポイント１０００によりカバーされているエリアのうちの、セクタ中のアクセス端末と通信するように設計されている。フォワードリンク１０２０および１０２６を通した通信では、異なるアクセス端末１０１６および１０２４に対するフォワードリンクの信号対ノイズ比を向上させるために、アクセスポイント１０００の送信アンテナは、ビーム形成を利用する。また、そのカバレッジ中でランダムに散在されているアクセス端末に送信するためにビーム形成を使用しているアクセスポイントは、すべてのアクセス端末に対して、単一のアンテナを通して送信するアクセスポイントよりも、隣接セルにおけるアクセス端末に対して、より低い干渉を生じさせる。アクセスポイントは、端末と通信するために使用される固定局であってもよく、アクセスポイント、ノードＢ、または他の何らかの専門用語として言及されることがある。アクセス端末は、アクセス端末、ユーザ機器（ＵＥ）、ワイヤレス通信デバイス、端末、または他のいくつかの専門用語と呼ばれることがある。
【００６９】
図１１を参照すると、システム１１００は、ＭＩＭＯシステム１１００における、（アクセスポイントとしても知られている）送信機システム２１０、および、（アクセス端末としても知られている）受信機システム１１５０が図示されている。送信機システム１１１０において、多数のデータストリームに対するトラフィックデータを、データ源１１１２から送信（ＴＸ）データプロセッサ１１１４に提供する。各データストリームは、各送信アンテナを通して送信される。ＴＸデータプロセッサ１１１４は、そのデータストリームに対して選択された特定のコーディングスキームに基づいて、各データストリームに対するトラフィックデータをフォーマット化し、コード化し、インターリーブして、コード化されたデータを提供する。
【００７０】
各データストリームに対するコード化されたデータは、ＯＦＤＭ技術を使用して、パイロットデータと多重化されてもよい。パイロットデータは、一般的に、既知の方法で処理され、チャネル応答を推定するために受信機システムにおいて使用されることもある、既知のデータパターンである。その後、そのデータストリームに対して選択された特定の変調スキーム（例えば、ＢＰＳＫ、ＱＳＰＫ、Ｍ−ＰＳＫ、またはＭ−ＱＡＭ）に基づいて、各データストリームに対する、多重化されたパイロットおよびコード化されたデータを変調（すなわち、シンボルマッピング）し、変調シンボルを提供する。各データストリームに対する、データレート、コード化、および変調を、プロセッサ１１３０により実行される命令により決定してもよい。
【００７１】
すべてのデータストリームに対する変調シンボルを、その後ＴＸ ＭＩＭＯプロセッサ１１２０に提供し、ＴＸ ＭＩＭＯプロセッサ１１２０は、（例えば、ＯＦＤＭのために）変調シンボルをさらに処理してもよい。ＴＸ ＭＩＭＯプロセッサ１１２０は、その後、ＮＴ個の変調シンボルストリームをＮＴ個の送信機（ＴＭＴＲ）１１２２ａないし１１２２ｔに提供する。いくつかの実施形態では、ＴＸ ＭＩＭＯプロセッサ１１２０は、データストリームのシンボルに、および、シンボルが送信されているアンテナに、ビーム形成重み付けを適用する。
【００７２】
各送信機１１２２は、それぞれのシンボルストリームを受け取り、処理して、１つ以上のアナログ信号を提供し、アナログ信号をさらに調整（例えば、増幅、フィルタリング、アップコンバート）し、ＭＩＭＯチャネルを通した送信に適した変調信号を提供する。送信機１１２２ａないし１１２２ｔからのＮＴ個の変調信号は、それぞれ、ＮＴ本のアンテナ１１２４ａないし１１２４ｔから送信される。
【００７３】
受信機システム１１５０において、変調され送信された信号が、ＮＲ本のアンテナ１１５２ａないし１１５２ｒによって受信され、各アンテナ１１５２からの受信信号が、各受信機（ＲＣＶＲ）１１５４ａないし１１５４ｒに提供される。各受信機１１５４は、それぞれの受信信号を調整（例えば、フィルタリング、増幅、およびダウンコンバート）し、調整した信号をデジタル化して、サンプルを提供し、サンプルをさらに処理して、対応する“受信”シンボルストリームを提供する。
【００７４】
ＲＸデータプロセッサ１１６０は、特定の受信機処理技術に基づいて、ＮＲ個の受信機１１５４からＮＲ個の受信シンボルストリームを受け取り、処理して、ＮＴ個の“検出”シンボルストリームを提供する。ＲＸデータプロセッサ１１６０は、その後、各検出したシンボルストリームを復調し、デインターリーブし、デコードして、データストリームに対するトラフィックデータを回復させる。ＲＸデータプロセッサ１１６０による処理は、送信機システム１１１０におけるＴＸ ＭＩＭＯプロセッサ１１２０およびＴＸ データプロセッサ１１１４によって実行される処理に対して相補的である。
【００７５】
プロセッサ１１７０は、周期的に、どのプレコーディングマトリックスを使用するかを決定する（以下で説明する）。プロセッサ１１７０は、マトリックスインデックス部分とランク値部分とを含むリバースリンクメッセージを構築する。リバースリンクメッセージは、通信リンクおよび／または受信データストリームに関するさまざまなタイプの情報を含んでいてもよい。リバースリンクメッセージは、その後、ＴＸデータプロセッサ１１３８により処理される。ＴＸデータプロセッサ１１３８はまた、多数のデータストリームに対するトラフィックデータをデータ源１１３６から受け取り、これは、復調器１１８０により変調され、送信機１１５４ａないし１１５４ｒによって調整され、送信機システム１１１０に返信される。
【００７６】
送信機システム１１１０において、受信機システム１１５０により送信されたリバースリンクメッセージを抽出するために、受信機システム１１５０からの変調信号は、アンテナ１１２４により受信され、受信機１１２２により調整され、復調器１１４０により復調され、ＲＸデータプロセッサ１１４２により処理される。プロセッサ１１３０は、その後、ビーム形成重み付けを決定するために、どのプレコーディングマトリックスを使用するかを決定して、抽出したメッセージを処理する。
【００７７】
１つの側面では、論理チャネルは、制御チャネルおよびトラフィックチャネルに分類される。論理制御チャネルは、ブロードキャスト制御チャネル（ＢＣＣＨ）を含み、ブロードキャスト制御チャネル（ＢＣＣＨ）は、システム制御情報をブロードキャストするためのＤＬチャネルである。ページング制御チャネル（ＰＣＣＨ）は、ページング情報を転送するＤＬチャネルである。マルチキャスト制御チャネル（ＭＣＣＨ）は、１つまたはいくつかのＭＴＣＨに対する、マルチメディアブロードキャストおよびマルチキャストサービス（ＭＢＭＳ）スケジューリングおよび制御情報を送信するために使用される、ポイントツーマルチポイントＤＬチャネルである。一般的に、ＲＲＣ接続を確立した後、このチャネルは、ＭＢＭＳを受信するＵＥによってのみ使用される（注：古いＭＣＣＨ＋ＭＳＣＨ）。専用制御チャネル（ＤＣＣＨ）は、専用制御情報を送信し、ＲＣＣ接続を有するＵＥにより使用される、ポイントツーポイント二方向チャネルである。論理トラフィックチャネルは、専用トラフィックチャネル（ＤＴＣＨ）を含む。専用トラフィックチャネル（ＤＴＣＨ）は、ユーザ情報の転送のために、１つのＵＥ専用のポイントツーポイント二方向チャネルである。また、マルチキャストトラフィックチャネル（ＭＴＣＨ）は、トラフィックデータを送信するためのポイントツーマルチポイントＤＬチャネルのためのものである。
【００７８】
伝送チャネルは、ＤＬおよびＵＬに分類される。ＤＬ伝送チャネルは、ブロードキャストチャネル（ＢＣＨ）と、ダウンリンク共有データチャネル（ＤＬ−ＳＤＣＨ）と、ページングチャネル（ＰＣＨ）とを含み、ＰＣＨは、ＵＥの電力節約のサポートのためのものであり、セル全体にわたってブロードキャストされ、他の制御／トラフィックチャネルに対して使用できるＰＨＹリソースにマッピングされる（ＤＲＸサイクルは、ネットワークによりＵＥに対して示される）。ＵＬ伝送チャネルは、ランダムアクセスチャネル（ＲＡＣＨ）と、要求チャネル（ＲＥＱＣＨ）と、アップリンク共有データチャネル（ＵＬ−ＳＤＣＨ）と、複数のＰＨＹチャネルとを含む。ＰＨＹチャネルは、１組のＤＬチャネルおよびＵＬチャネルを含む。
【００７９】
ＤＬ ＰＨＹチャネルは、例えば：共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割り当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および負荷インジケータチャネル（ＬＩＣＨ）を含む。
【００８０】
ＵＬ ＰＨＹチャネルは、例えば：物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、およびブロードバンドパイロットチャネル（ＢＰＩＣＨ）を含む。
【００８１】
他の用語／コンポーネントは：３Ｇ 第３世代、３ＧＰＰ 第３世代パートナーシッププロジェクト、ＡＣＬＲ 隣接チャネル漏洩比、ＡＣＰＲ 隣接チャネル電力比、ＡＣＳ 隣接チャネル選択性、ＡＤＳ アドバンスド設計システム、ＡＭＣ 適応変調およびコーディング、Ａ−ＭＰＲ 追加最大電力低減、ＡＲＱ 自動反復要求、ＢＣＣＨ ブロードキャスト制御チャネル、ＢＴＳ 基地トランシーバ局、ＣＤＤ サイクリック遅延ダイバシティ、ＣＣＤＦ 相補累積分布関数、ＣＤＭＡ コード分割多元接続、ＣＦＩ 制御フォーマットインジケータ、Ｃｏ−ＭＩＭＯ 協調ＭＩＭＯ、 ＣＰ サイクリックプリフィックス、ＣＰＩＣＨ 共通パイロットチャネル、ＣＰＲＩ 共通公衆無線インターフェース、ＣＱＩ チャネル品質インジケータ、ＣＲＣ 巡回冗長性検査、ＤＣＩ ダウンリンク制御インジケータ、ＤＦＴ 離散フーリエ変換、ＤＦＴ−ＳＯＦＤＭ 離散フーリエ変換拡散ＯＦＤＭ、ＤＬ ダウンリンク（基地局から加入者局への送信）、ＤＬ−ＳＣＨ ダウンリンク共有チャネル、Ｄ−ＰＨＹ ５００Ｍｂｐｓ物理レイヤ、ＤＳＰ デジタル信号処理、ＤＴ 開発ツールセット、 ＤＶＳＡ デジタルベクトル信号解析、ＥＤＡ 電子設計自動化、Ｅ−ＤＣＨ 拡張した専用チャネル、Ｅ−ＵＴＲＡＮ 進化したＵＭＴＳ地上無線アクセスネットワーク、ｅＭＢＭＳ 進化したマルチメディアブロードキャストマルチキャストサービス、ｅＮＢ 進化ノードＢ、ＥＰＣ 進化したパケットコア、ＥＰＲＥ リソースエレメント当たりのエネルギー、ＥＴＳＩ 欧州電気通信標準規格機構、Ｅ−ＵＴＲＡ 進化したＵＴＲＡ、Ｅ−ＵＴＲＡＮ 進化したＵＴＲＡＮ、ＥＶＭ エラーベクトル振幅、およびＦＤＤ 周波数分割デュプレックスを含む。
【００８２】
さらに他の用語は、ＦＦＴ 高速フーリエ変換、ＦＲＣ 固定基準チャネル、ＦＳ１ フレーム構造タイプ１、ＦＳ２ フレーム構造タイプ２、ＧＳＭ（登録商標） グローバルシステムフォーモバイル通信、ＨＡＲＱ ハイブリッド自動反復要求、ＨＤＬ ハードウェア記述言語、ＨＩ ＨＡＲＱ インジケータ、ＨＳＤＰＡ 高速ダウンリンクパケットアクセス、ＨＳＰＡ 高速パケットアクセス、ＨＳＵＰＡ 高速アップリンクパケットアクセス、ＩＦＦＴ 逆ＦＦＴ、ＩＯＴ 相互運用性テスト、ＩＰ インターネットプロトコル、ＬＯ 局部発振器、ＬＴＥ ロングタームエボリューション、ＭＡＣ メディアアクセス制御、ＭＢＭＳ マルチメディアブロードキャストマルチキャストサービス、ＭＢＳＦＮ 単一周波数ネットワークによるマルチキャスト／ブロードキャスト、ＭＣＨ マルチキャストチャネル、ＭＩＭＯ 複数入力複数出力、ＭＩＳＯ 複数入力単一出力、ＭＭＥ 移動性管理エンティティ、ＭＯＰ 最大出力電力、ＭＰＲ 最大電力減少、ＭＵ−ＭＩＭＯ 複数ユーザＭＩＭＯ、ＮＡＳ 非アクセス層、ＯＢＳＡＩ 開放基地局アーキテクチャインターフェース、ＯＦＤＭ 直交周波数分割多重、ＯＦＤＭＡ 直交周波数分割多元接続、ＰＡＰＲ ピーク対平均電力比、ＰＡＲ ピーク対平均比、ＰＢＣＨ 物理ブロードキャストチャネル、Ｐ−ＣＣＰＣＨ 一次共通制御物理チャネル、ＰＣＦＩＣＨ 物理制御フォーマットインジケータチャネル、ＰＣＨ ページングチャネル、ＰＤＣＣＨ 物理ダウンリンク制御チャネル、ＰＤＣＰ パケットデータ収束プロトコル、ＰＤＳＣＨ 物理ダウンリンク共有チャネル、ＰＨＩＣＨ 物理ハイブリッドＡＲＱインジケータチャネル、ＰＨＹ 物理レイヤ、ＰＲＡＣＨ 物理ランダムアクセスチャネル、ＰＭＣＨ 物理マルチキャストチャネル、ＰＭＩ プレコーディングマトリクスインジケータ、Ｐ−ＳＣＨ 一次同期信号、ＰＵＣＣＨ 物理アップリンク制御チャネル、およびＰＵＳＣＨ 物理アップリンク共有チャネルを含む。
【００８３】
他の用語は、ＱＡＭ 直交振幅変調、ＱＰＳＫ 直角位相シフトキーイング、ＲＡＣＨ ランダムアクセスチャネル、ＲＡＴ 無線アクセス技術、ＲＢ リソースブロック、ＲＦ 無線周波数、ＲＦＤＥ ＲＦ 設計環境、ＲＬＣ 無線リンク制御、ＲＭＣ 基準測定チャネル、ＲＮＣ 無線ネットワーク制御装置、ＲＲＣ 無線リソース制御、ＲＲＭ 無線リソース管理、ＲＳ  基準信号、ＲＳＣＰ 受信信号コード電力、ＲＳＲＰ 基準信号受信電力、ＲＳＲＱ 基準信号受信品質、ＲＳＳＩ 受信信号強度インジケータ、ＳＡＥ システムアーキテクチャエボリューション、ＳＡＰ サービスアクセスポイント、ＳＣ−ＦＤＭＡ 単一搬送波周波数分割多元接続、ＳＦＢＣ 空間周波数ブロックコーディング、Ｓ−ＧＷ サービングゲートウェイ、ＳＩＭＯ 単一入力複数出力、ＳＩＳＯ 単一入力単一出力、ＳＮＲ 信号対ノイズ比、ＳＲＳ サウンディング基準信号、Ｓ−ＳＣＨ 二次同期信号、ＳＵ−ＭＩＭＯ 単一ユーザＭＩＭＯ、ＴＤＤ 時間分割デュプレックス、ＴＤＭＡ 時分割多元接続、ＴＲ テクニカルレポート、ＴｒＣＨ 伝送チャネル、ＴＳ 技術仕様、ＴＴＡ 電気通信技術協会、ＴＴＩ 送信時間間隔、ＵＣＩ アップリンク制御インジケータ、ＵＥ ユーザ機器、ＵＬ アップリンク（加入者から基地局への送信）、ＵＬ−ＳＣＨ アップリンク共有チャネル、ＵＭＢ ウルトラ移動体ブロードバンド、ＵＭＴＳ ユニバーサル移動体電気通信システム、ＵＴＲＡ ユニバーサル地上無線アクセス、ＵＴＲＡＮ ユニバーサル地上無線アクセスネットワーク、ＶＳＡ ベクトル信号アナライザ、Ｗ−ＣＤＭＡ 広帯域コード分割多元接続を含む。
【００８４】
ここでは、端末に関連してさまざまな側面を記述したことに留意すべきである。端末は、システム、ユーザデバイス、加入者ユニット、加入者局、移動局、移動体デバイス、遠隔局、遠隔端末、アクセス端末、ユーザ端末、ユーザエージェント、またはユーザ機器としても言及することができる。ユーザデバイスは、セルラ電話機、コードレス電話機、セッション開始プロトコル（ＳＩＰ）電話機、ワイヤレスローカルループ（ＷＬＬ）局、ＰＤＡ、ワイヤレス接続能力を有するハンドヘルドデバイス、端末内のモジュール、ホストデバイスに取り付けることができるカード、または、ホストデバイス内に組み込まれているカード（例えば、ＰＣＭＣＩＡカード）、またはワイヤレスモデムに接続されている他の処理デバイスとすることができる。
【００８５】
さらに、クレームした主題事項の側面は、ソフトウェア、ファームウェア、ハードウェア、またはこれらの任意のものを組み合わせたものを生成させて、コンピュータまたはコンピューティングコンポーネントを制御して、クレームした主題事項のさまざまな側面を実現するための、標準プログラミングおよび／またはエンジニアリング技術を使用している方法、装置または、製造物として実現してもよい。ここで用いる「製造物」という用語は、何らかのコンピュータ読取可能デバイス、キャリア、または媒体からアクセス可能なコンピュータプログラムを含むことを意図している。例えば、コンピュータ読取可能媒体は、磁気記憶デバイス（例えば、ハードディスク、フロッピー（登録商標）ディスク、磁気ストライプ．．．）や、光ディスク（例えば、コンパクトディスク（ＣＤ）、デジタル汎用性ディスク（ＤＶＤ）．．．）や、スマートカードや、フラッシュメモリデバイス（例えば、カード、スティック、キードライブ．．．）を含むことができるが、これらに限定されない。さらに、音声メールを送信および受信する際に、または、セルラネットワークのようなネットワークにアクセスする際に使用されるような、コンピュータ読取可能な電子データを伝えるために搬送波を用いることができることを正しく認識すべきである。もちろん、当業者は、ここで記述したものの範囲または精神から逸脱することなく、この構成に対して多くの変更が行われてもよいことが認識されるだろう。
【００８６】
本出願中で使用したように、「コンポーネント」、「モジュール」、「システム」、「プロトコル」という用語およびこれらに類するものは、ハードウェアか、ハードウェアとソフトウェアの組み合わせや、ソフトウェアや、実行中のソフトウェアかのどちらかである、コンピュータ関連エンティティに言及するように意図している。例えば、コンポーネントは、プロセッサ上で実行中のプロセス、プロセッサ、物体、実行ファイル、実行のスレッド、プログラム、および／または、コンピュータであってもよいが、これらに限定されない。事例として、サーバ上で実行中のアプリケーションおよびサーバの双方は、コンポーネントとすることができる。１つ以上のコンポーネントは、プロセス内に、および／または、実行のスレッド内に存在していてもよく、コンポーネントは、１つのコンピュータ上に局所化されていてもよく、および／または、２つ以上のコンピュータ間に分配されていてもよい。
【００８７】
上述していることは、１つ以上の実施形態の例を含んでいる。もちろん、先に言及した実施形態を記述する目的のためにコンポーネントまたは方法論のすべての考えられる組み合わせを記述することは不可能であるが、当業者は、さまざまな実施形態の多くのさらなる組み合わせおよび置換の可能性があることを認識してもよい。したがって、記述した実施形態は、特許請求の範囲の精神および範囲内にあるすべてのこのような変更、修正およびバリエーションを含むことを意図している。さらに、「含む」という用語が詳細な説明または特許請求の範囲のいずれかで使用される限り、このような用語は、請求項中で移行語として使用されるときに「具備する」が解釈されるように、「具備する」という用語に類似して包括的であることが意図されている。
【図１】
2011526463.tif 000017
【図２】
2011526463.tif 000018
【図３】
2011526463.tif 000019
【図４】
2011526463.tif 000020
【図５】
2011526463.tif 000021
【図６】
2011526463.tif 000022
【図７】
2011526463.tif 000023
【図８】
2011526463.tif 000024
【図９】
2011526463.tif 000025
【図１０】
2011526463.tif 000026
【図１１】
2011526463.tif 000027
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
１組の物理レイヤセルアイデンティティを決定することと、
現在の組のスクランブリングシーケンスを解析することと、
前記物理レイヤセルアイデンティティにおける増加に対処するために、前記現在の組のスクランブリングシーケンスを増加させることとを含む方法。
【請求項２】
前記現在の組のスクランブリングシーケンスをＮだけ増加させることをさらに含み、
Ｎは、整数であり、前記現在の組中のスクランブリングシーケンスの数を増やすために、２の累乗として用いられる請求項１記載の方法。
【請求項３】
前記現在の組のスクランブリングシーケンスに拡張エレメントＩを付加することにより、前記現在の組を増加させることとさらに含み、
Ｉは、整数であり、前記１組の物理レイヤセルアイデンティティに、または、拡張された組の物理レイヤセルアイデンティティに、前記スクランブリングシーケンスを適用するか否かを示す請求項１記載の方法。
【請求項４】
スクランブリングシーケンス初期設定にＮビットを付加することをさらに含み、
Ｎは整数であり、前記Ｎビットは、物理レイヤセルアイデンティティスペースの増加による付加的なビットを示す請求項１記載の方法。
【請求項５】
前記Ｎビットは、前記スクランブリングシーケンス初期設定中に用いられるセル識別子における増加にリンクしている請求項４記載の方法。
【請求項６】
前記Ｎビットは、第１の同期コード（ＰＳＣ）および第２の同期コード（ＳＳＣ）の配列を示す請求項５記載の方法。
【請求項７】
Ｎが（１）の値に設定されている場合に、ＰＳＣ／ＳＳＣは順序がスワップされ、Ｎが（０）の値に設定されている場合に、ＰＳＣ／ＳＳＣはオリジナルの順序で適用する請求項６記載の方法。
【請求項８】
前記Ｎビットのうちの１つ以上のものが、スクランブリングシーケンスの異なる部分中に分配される請求項６記載の方法。
【請求項９】
前記Ｎビットは、主基準信号（ＰＲＳ）、スクランブリング関数、またはホッピング関数に適用される請求項６記載の方法。
【請求項１０】
レガシーシステムをサポートするために、拡張された組のスクランブリングシーケンスに加えて、前記現在の組のスクランブリングシーケンスを維持することをさらに含む請求項１記載の方法。
【請求項１１】
前記スクランブリングシーケンスは、ワイヤレス物理レイヤに関係している請求項１記載の方法。
【請求項１２】
前記スクランブリングシーケンスは、物理アップリンク共有チャネル（ＰＵＳＣＨ）または物理ダウンリンク共有チャネル（ＰＤＳＣＨ）に関係している請求項１記載の方法。
【請求項１３】
前記スクランブリングシーケンスは、物理マルチキャストチャネル（ＰＭＣＨ）または物理制御フォーマットインジケータチャネル（ＰＣＦＩＣＨ）に関係している請求項１記載の方法。
【請求項１４】
前記スクランブリングシーケンスは、物理ダウンリンク制御チャネル（ＰＤＣＣＨ）または物理ハイブリッドＡＲＱインジケータチャネル（ＰＨＩＣＨ）に関係している請求項１記載の方法。
【請求項１５】
前記スクランブリングシーケンスは、ダウンリンクセル特有フォーマット、ユーザ機器特有フォーマット、またはマルチキャストブロードキャスト単一周波数ネットワーク（ＭＢＳＦＮ）フォーマットに関係している請求項１記載の方法。
【請求項１６】
通信装置において、
１組の物理レイヤセルアイデンティティを決定するための命令と、現在の組のスクランブリングシーケンスを発生させるための命令と、前記物理レイヤセルアイデンティティにおける増加に対処するために、前記現在の組のスクランブリングシーケンスを自動的に増加させるための命令とを保持するメモリと、
前記命令を実行するプロセッサとを具備する通信装置。
【請求項１７】
前記現在の組のスクランブリングシーケンスをＮだけ増加させるための命令をさらに具備し、
Ｎは、整数であり、前記現在の組中のスクランブリングシーケンスの数を増やすために、２の累乗として用いられる請求項１６記載の通信装置。
【請求項１８】
前記現在の組のスクランブリングシーケンスに拡張エレメントＩを付加することにより、前記現在の組を増加させるための命令をさらに具備し、
Ｉは、整数であり、前記１組の物理レイヤセルアイデンティティに、または、拡張された組の物理レイヤセルアイデンティティに、前記スクランブリングシーケンスを適用するか否かを示す請求項１６記載の通信装置。
【請求項１９】
第１の同期コード（ＰＳＣ）および第２の同期コード（ＳＳＣ）を示すビットをさらに具備する請求項１８記載の通信装置。
【請求項２０】
前記スクランブリングシーケンスは、ワイヤレス物理レイヤ、チャネル、またはデバイスに関係している請求項１６記載の通信装置。
【請求項２１】
通信装置において、
１組の物理レイヤセルアイデンティティを発生させる手段と、
現在の組のスクランブリングシーケンスを拡張させる手段と、
増加された数の物理レイヤセルアイデンティティに対処するために、前記現在の組のスクランブリングシーケンスの数を増加させる手段とを具備する通信装置。
【請求項２２】
前記拡張させる手段は、前記現在の組のスクランブリングシーケンスをＮだけ増加させるための命令をさらに備え、
Ｎは、整数であり、前記現在の組中のスクランブリングシーケンスの数を増やすために、２の累乗として用いられる請求項２１記載の通信装置。
【請求項２３】
前記拡張させる手段は、前記現在の組のスクランブリングシーケンスに拡張エレメントＩを付加することにより、前記現在の組を増加させるための命令をさらに備え、
Ｉは、整数であり、前記１組の物理レイヤセルアイデンティティに、または、拡張された組の物理レイヤセルアイデンティティに、前記スクランブリングシーケンスを適用するか否かを示す請求項２１記載の通信装置。
【請求項２４】
スクランブリングシーケンスを拡張させるためのコードを備えるコンピュータ読取可能記憶媒体において、
前記コードは、
コンピュータに１組の物理レイヤセルアイデンティティを発生させるためのコードと、
コンピュータに現在の組のスクランブリングシーケンスを拡張させるためのコードと、
物理レイヤセルアイデンティティの数に対処するために、コンピュータに前記現在の組のスクランブリングシーケンスの数を増加させるためのコードとを含むコンピュータ読取可能記憶媒体。
【請求項２５】
増やされた累乗ファクターを用いて、前記現在の組のスクランブリングシーケンスの数を増加させる拡張シーケンスをさらに具備する請求項２４記載のコンピュータ読取可能記憶媒体。
【請求項２６】
前記現在の組のスクランブリングシーケンス、または、拡張された組のスクランブリングシーケンスを選択するために用いられる拡張整数をさらに具備する請求項２４記載のコンピュータ読取可能記憶媒体。
【請求項２７】
プロセッサにおいて、
１組の物理レイヤセルアイデンティティを処理するための命令と、
現在の組のスクランブリングシーケンスを拡張させるための命令と、
物理レイヤセルアイデンティティの数に対処するために、前記現在の組のスクランブリングシーケンスの数を増加させるための命令とを実行するプロセッサ。
【請求項２８】
スクランブリングシーケンスアイデンティティを自動的に増加させる選択エレメントをさらに具備する請求項２７記載のプロセッサ。
【請求項２９】
ワイヤレス通信のための方法において、
１組の物理レイヤセルアイデンティティを処理することと、
現在の組のスクランブリングシーケンスを処理することと、
前記物理レイヤセルアイデンティティにおける増加に対処するために、拡張された組のスクランブリングシーケンスを受け取ることとを含む方法。
【請求項３０】
前記現在の組のスクランブリングシーケンスをＮだけ処理することをさらに含み、
Ｎは、整数であり、前記現在の組中のスクランブリングシーケンスの数を増やすために、２の累乗として用いられる請求項２９記載の方法。
【請求項３１】
前記現在の組のスクランブリングシーケンスに拡張エレメントＩを付加することにより、前記現在の組を処理することとさらに含み、
Ｉは、整数であり、前記１組の物理レイヤセルアイデンティティに、または、拡張された組の物理レイヤセルアイデンティティに、前記スクランブリングシーケンスを適用するか否かを示す請求項２９記載の方法。
【請求項３２】
通信装置において、
１組の物理レイヤセルアイデンティティを決定するための命令と、現在の組のスクランブリングシーケンスを処理するための命令と、前記物理レイヤセルアイデンティティにおける増加に対処するために、拡張された組のスクランブリングシーケンスを処理するための命令とを保持するメモリと、
前記命令を実行するプロセッサとを具備する通信装置。
【請求項３３】
前記現在の組のスクランブリングシーケンスをＮだけ増加させるための命令を処理することをさらに具備し、
Ｎは、整数であり、前記現在の組中のスクランブリングシーケンスの数を増やすために、２の累乗として用いられる請求項３２記載の通信装置。
【請求項３４】
前記現在の組のスクランブリングシーケンスに拡張エレメントＩを付加することにより、前記現在の組を増加させるための命令を処理することとさらに具備し、
Ｉは、整数であり、前記１組の物理レイヤセルアイデンティティに、または、拡張された組の物理レイヤセルアイデンティティに、前記スクランブリングシーケンスを適用するか否かを示す請求項３２記載の通信装置。
【請求項３５】
通信装置において、
１組の物理レイヤセルアイデンティティを処理する手段と、
現在の組のスクランブリングシーケンスを処理する手段と、
拡張された数の物理レイヤセルアイデンティティに対処するために、拡張された組のスクランブリングシーケンスを処理する手段とを具備する通信装置。
【請求項３６】
前記現在の組のスクランブリングシーケンスをＮだけ増加させる手段をさらに具備し、
Ｎは、整数であり、前記現在の組中のスクランブリングシーケンスの数を増やすために、２の累乗として用いられる請求項３５記載の通信装置。
【請求項３７】
前記現在の組のスクランブリングシーケンスに拡張エレメントＩを付加することにより、前記現在の組を増加させる手段をさらに具備し、
Ｉは、整数であり、前記１組の物理レイヤセルアイデンティティに、または、拡張された組の物理レイヤセルアイデンティティに、前記スクランブリングシーケンスを適用するか否かを示す請求項３５記載の通信装置。
【請求項３８】
スクランブリングシーケンスを拡張させるためのコードを備えるコンピュータ読取可能記憶媒体において、
前記コードは、
コンピュータに１組の物理レイヤセルアイデンティティを処理させるためのコードと、
コンピュータに現在の組のスクランブリングシーケンスを拡張させるためのコードと、
拡張された物理レイヤセルアイデンティティの数に対処するために、コンピュータに拡張されたスクランブリングシーケンスの数を処理させるためのコードとを含むコンピュータ読取可能記憶媒体。
【請求項３９】
増やされた累乗ファクターを用いて、前記現在の組のスクランブリングシーケンスの数を増加させる拡張シーケンスをさらに具備する請求項３８記載のコンピュータ読取可能記憶媒体。
【請求項４０】
前記現在の組のスクランブリングシーケンス、または、拡張された組のスクランブリングシーケンスを選択するために用いられる拡張整数をさらに具備する請求項３８記載のコンピュータ読取可能記憶媒体。
【請求項４１】
プロセッサにおいて、
１組の物理レイヤセルアイデンティティを処理するための命令と、
現在の組のスクランブリングシーケンスを拡張させるための命令と、
拡張された数の物理レイヤセルアイデンティティに対処するために、拡張された数のスクランブリングシーケンスを処理するための命令とを実行するプロセッサ。
【請求項４２】
スクランブリングシーケンスアイデンティティを自動的に増加させるための選択命令をさらに具備する請求項４１記載のプロセッサ。
【手続補正２】
【補正対象書類名】明細書
【補正対象項目名】００８７
【補正方法】変更
【補正の内容】
【００８７】
上述していることは、１つ以上の実施形態の例を含んでいる。もちろん、先に言及した実施形態を記述する目的のためにコンポーネントまたは方法論のすべての考えられる組み合わせを記述することは不可能であるが、当業者は、さまざまな実施形態の多くのさらなる組み合わせおよび置換の可能性があることを認識してもよい。したがって、記述した実施形態は、特許請求の範囲の精神および範囲内にあるすべてのこのような変更、修正およびバリエーションを含むことを意図している。さらに、「含む」という用語が詳細な説明または特許請求の範囲のいずれかで使用される限り、このような用語は、請求項中で移行語として使用されるときに「具備する」が解釈されるように、「具備する」という用語に類似して包括的であることが意図されている。
以下に、本願出願時の特許請求の範囲に記載された発明を付記する。
〔１〕ワイヤレス通信のための方法において、
１組の物理レイヤセルアイデンティティを決定することと、
現在の組のスクランブリングシーケンスを解析することと、
前記物理レイヤセルアイデンティティにおける増加に対処するために、前記現在の組のスクランブリングシーケンスを増加させることとを含む方法。
〔２〕前記現在の組のスクランブリングシーケンスをＮだけ増加させることをさらに含み、
Ｎは、整数であり、前記現在の組中のスクランブリングシーケンスの数を増やすために、２の累乗として用いられる上記〔１〕記載の方法。
〔３〕前記現在の組のスクランブリングシーケンスに拡張エレメントＩを付加することにより、前記現在の組を増加させることとさらに含み、
Ｉは、整数であり、前記１組の物理レイヤセルアイデンティティに、または、拡張された組の物理レイヤセルアイデンティティに、前記スクランブリングシーケンスを適用するか否かを示す上記〔１〕記載の方法。
〔４〕スクランブリングシーケンス初期設定にＮビットを付加することをさらに含み、
Ｎは整数であり、前記Ｎビットは、物理レイヤセルアイデンティティスペースの増加による付加的なビットを示す上記〔１〕記載の方法。
〔５〕前記Ｎビットは、前記スクランブリングシーケンス初期設定中に用いられるセル識別子における増加にリンクしている上記〔４〕記載の方法。
〔６〕前記Ｎビットは、第１の同期コード（ＰＳＣ）および第２の同期コード（ＳＳＣ）の配列を示す上記〔５〕記載の方法。
〔７〕Ｎが（１）の値に設定されている場合に、ＰＳＣ／ＳＳＣは順序がスワップされ、Ｎが（０）の値に設定されている場合に、ＰＳＣ／ＳＳＣはオリジナルの順序で適用する上記〔６〕記載の方法。
〔８〕前記Ｎビットのうちの１つ以上のものが、スクランブリングシーケンスの異なる部分中に分配される上記〔６〕記載の方法。
〔９〕前記Ｎビットは、主基準信号（ＰＲＳ）、スクランブリング関数、またはホッピング関数に適用される上記〔６〕記載の方法。
〔１０〕レガシーシステムをサポートするために、拡張された組のスクランブリングシーケンスに加えて、前記現在の組のスクランブリングシーケンスを維持することをさらに含む上記〔１〕記載の方法。
〔１１〕前記スクランブリングシーケンスは、ワイヤレス物理レイヤに関係している上記〔１〕記載の方法。
〔１２〕前記スクランブリングシーケンスは、物理アップリンク共有チャネル（ＰＵＳＣＨ）または物理ダウンリンク共有チャネル（ＰＤＳＣＨ）に関係している上記〔１〕記載の方法。
〔１３〕前記スクランブリングシーケンスは、物理マルチキャストチャネル（ＰＭＣＨ）または物理制御フォーマットインジケータチャネル（ＰＣＦＩＣＨ）に関係している上記〔１〕記載の方法。
〔１４〕前記スクランブリングシーケンスは、物理ダウンリンク制御チャネル（ＰＤＣＣＨ）または物理ハイブリッドＡＲＱインジケータチャネル（ＰＨＩＣＨ）に関係している上記〔１〕記載の方法。
〔１５〕前記スクランブリングシーケンスは、ダウンリンクセル特有フォーマット、ユーザ機器特有フォーマット、またはマルチキャストブロードキャスト単一周波数ネットワーク（ＭＢＳＦＮ）フォーマットに関係している上記〔１〕記載の方法。
〔１６〕通信装置において、
１組の物理レイヤセルアイデンティティを決定するための命令と、現在の組のスクランブリングシーケンスを発生させるための命令と、前記物理レイヤセルアイデンティティにおける増加に対処するために、前記現在の組のスクランブリングシーケンスを自動的に増加させるための命令とを保持するメモリと、
前記命令を実行するプロセッサとを具備する通信装置。
〔１７〕前記現在の組のスクランブリングシーケンスをＮだけ増加させるための命令をさらに具備し、
Ｎは、整数であり、前記現在の組中のスクランブリングシーケンスの数を増やすために、２の累乗として用いられる上記〔１６〕記載の通信装置。
〔１８〕前記現在の組のスクランブリングシーケンスに拡張エレメントＩを付加することにより、前記現在の組を増加させるための命令をさらに具備し、
Ｉは、整数であり、前記１組の物理レイヤセルアイデンティティに、または、拡張された組の物理レイヤセルアイデンティティに、前記スクランブリングシーケンスを適用するか否かを示す上記〔１６〕記載の通信装置。
〔１９〕第１の同期コード（ＰＳＣ）および第２の同期コード（ＳＳＣ）を示すビットをさらに具備する上記〔１８〕記載の通信装置。
〔２０〕前記スクランブリングシーケンスは、ワイヤレス物理レイヤ、チャネル、またはデバイスに関係している上記〔１６〕記載の通信装置。
〔２１〕通信装置において、
１組の物理レイヤセルアイデンティティを発生させる手段と、
現在の組のスクランブリングシーケンスを拡張させる手段と、
増加された数の物理レイヤセルアイデンティティに対処するために、前記現在の組のスクランブリングシーケンスの数を増加させる手段とを具備する通信装置。
〔２２〕前記拡張させる手段は、前記現在の組のスクランブリングシーケンスをＮだけ増加させるための命令をさらに備え、
Ｎは、整数であり、前記現在の組中のスクランブリングシーケンスの数を増やすために、２の累乗として用いられる上記〔２１〕記載の通信装置。
〔２３〕前記拡張させる手段は、前記現在の組のスクランブリングシーケンスに拡張エレメントＩを付加することにより、前記現在の組を増加させるための命令をさらに備え、
Ｉは、整数であり、前記１組の物理レイヤセルアイデンティティに、または、拡張された組の物理レイヤセルアイデンティティに、前記スクランブリングシーケンスを適用するか否かを示す上記〔２１〕記載の通信装置。
〔２４〕コンピュータプログラムプロダクトにおいて、
スクランブリングシーケンスを拡張させるためのコードを備えるコンピュータ読取可能媒体を具備し、
前記コードは、
コンピュータに１組の物理レイヤセルアイデンティティを発生させるためのコードと、
コンピュータに現在の組のスクランブリングシーケンスを拡張させるためのコードと、
物理レイヤセルアイデンティティの数に対処するために、コンピュータに前記現在の組のスクランブリングシーケンスの数を増加させるためのコードとを含むコンピュータプログラムプロダクト。
〔２５〕増やされた累乗ファクターを用いて、前記現在の組のスクランブリングシーケンスの数を増加させる拡張シーケンスをさらに具備する上記〔２４〕記載のコンピュータプログラムプロダクト。
〔２６〕前記現在の組のスクランブリングシーケンス、または、拡張された組のスクランブリングシーケンスを選択するために用いられる拡張整数をさらに具備する上記〔２４〕記載のコンピュータプログラムプロダクト。
〔２７〕プロセッサにおいて、
１組の物理レイヤセルアイデンティティを処理するための命令と、
現在の組のスクランブリングシーケンスを拡張させるための命令と、
物理レイヤセルアイデンティティの数に対処するために、前記現在の組のスクランブリングシーケンスの数を増加させるための命令とを実行するプロセッサ。
〔２８〕スクランブリングシーケンスアイデンティティを自動的に増加させる選択エレメントをさらに具備する上記〔２７〕記載のプロセッサ。
〔２９〕ワイヤレス通信のための方法において、
１組の物理レイヤセルアイデンティティを処理することと、
現在の組のスクランブリングシーケンスを処理することと、
前記物理レイヤセルアイデンティティにおける増加に対処するために、拡張された組のスクランブリングシーケンスを受け取ることとを含む方法。
〔３０〕前記現在の組のスクランブリングシーケンスをＮだけ処理することをさらに含み、
Ｎは、整数であり、前記現在の組中のスクランブリングシーケンスの数を増やすために、２の累乗として用いられる上記〔２９〕記載の方法。
〔３１〕前記現在の組のスクランブリングシーケンスに拡張エレメントＩを付加することにより、前記現在の組を処理することとさらに含み、
Ｉは、整数であり、前記１組の物理レイヤセルアイデンティティに、または、拡張された組の物理レイヤセルアイデンティティに、前記スクランブリングシーケンスを適用するか否かを示す上記〔２９〕記載の方法。
〔３２〕通信装置において、
１組の物理レイヤセルアイデンティティを決定するための命令と、現在の組のスクランブリングシーケンスを処理するための命令と、前記物理レイヤセルアイデンティティにおける増加に対処するために、拡張された組のスクランブリングシーケンスを処理するための命令とを保持するメモリと、
前記命令を実行するプロセッサとを具備する通信装置。
〔３３〕前記現在の組のスクランブリングシーケンスをＮだけ増加させるための命令を処理することをさらに具備し、
Ｎは、整数であり、前記現在の組中のスクランブリングシーケンスの数を増やすために、２の累乗として用いられる上記〔３２〕記載の通信装置。
〔３４〕前記現在の組のスクランブリングシーケンスに拡張エレメントＩを付加することにより、前記現在の組を増加させるための命令を処理することとさらに具備し、
Ｉは、整数であり、前記１組の物理レイヤセルアイデンティティに、または、拡張された組の物理レイヤセルアイデンティティに、前記スクランブリングシーケンスを適用するか否かを示す上記〔１６〕記載の通信装置。
〔３５〕通信装置において、
１組の物理レイヤセルアイデンティティを処理する手段と、
現在の組のスクランブリングシーケンスを処理する手段と、
拡張された数の物理レイヤセルアイデンティティに対処するために、拡張された組のスクランブリングシーケンスを処理する手段とを具備する通信装置。
〔３６〕前記現在の組のスクランブリングシーケンスをＮだけ増加させるための命令をさらに具備し、
Ｎは、整数であり、前記現在の組中のスクランブリングシーケンスの数を増やすために、２の累乗として用いられる上記〔３５〕記載の通信装置。
〔３７〕前記現在の組のスクランブリングシーケンスに拡張エレメントＩを付加することにより、前記現在の組を増加させるための命令をさらに具備し、
Ｉは、整数であり、前記１組の物理レイヤセルアイデンティティに、または、拡張された組の物理レイヤセルアイデンティティに、前記スクランブリングシーケンスを適用するか否かを示す上記〔３５〕記載の通信装置。
〔３８〕コンピュータプログラムプロダクトにおいて、
スクランブリングシーケンスを拡張させるためのコードを備えるコンピュータ読取可能媒体を具備し、
前記コードは、
コンピュータに１組の物理レイヤセルアイデンティティを処理させるためのコードと、
コンピュータに現在の組のスクランブリングシーケンスを拡張させるためのコードと、
拡張された物理レイヤセルアイデンティティの数に対処するために、コンピュータに拡張されたスクランブリングシーケンスの数を処理させるためのコードとを含むコンピュータプログラムプロダクト。
〔３９〕増やされた累乗ファクターを用いて、前記現在の組のスクランブリングシーケンスの数を増加させる拡張シーケンスをさらに具備する上記〔３８〕記載のコンピュータプログラムプロダクト。
〔４０〕前記現在の組のスクランブリングシーケンス、または、拡張された組のスクランブリングシーケンスを選択するために用いられる拡張整数をさらに具備する上記〔３８〕記載のコンピュータプログラムプロダクト。
〔４１〕プロセッサにおいて、
１組の物理レイヤセルアイデンティティを処理するための命令と、
現在の組のスクランブリングシーケンスを拡張させるための命令と、
拡張された数の物理レイヤセルアイデンティティに対処するために、拡張された数のスクランブリングシーケンスを処理するための命令とを実行するプロセッサ。
〔４２〕スクランブリングシーケンスアイデンティティを自動的に増加させるための選択命令をさらに具備する上記〔４１〕記載のプロセッサ。
【国際調査報告】
2011526463.tif 000028
2011526463.tif 000029
2011526463.tif 000030